(57)【要約】【課題】  パッド本体に一体に設けられた張出し部の表面に、発泡成形時の空気による凹部が形成されるのを簡単な構成により防止することを課題とする。【解決手段】  発泡樹脂製のパッド本体３３の背面３３ｂ側の少なくとも上辺部３３ｃに、連結部４１と、該連結部から前記パッド本体の背面と間隔を有するように内側に延設されたフランジ部４３とからなる張出し部４０が一体に設けられ、前記パッド本体の背面および張出し部に補強シート３５が一体に設けられている。前記張出し部のフランジ部には、後方に突出する厚肉部４９が設けられ、前記補強シートには、前記厚肉部に埋入されるように長尺状の発泡樹脂迂回部材５０が固定され、パーティングラインＰＬが、前記厚肉部よりもフランジ部の先端側に位置する。【選択図】図  １
2007082909.tif 000002
【特許請求の範囲】
【請求項１】
発泡樹脂製のパッド本体の背面側の少なくとも上辺部に、張出し部が一体に設けられ、該張出し部は、パッド本体から後方に延設された連結部と、該連結部から前記パッド本体の背面と間隔を有するように内側に延設されたフランジ部とを備え、前記パッド本体の背面および張出し部に補強シートが一体に設けられた自動車シート用パッドにおいて、
前記張出し部のフランジ部には、後方に突出する厚肉部が設けられ、前記補強シートには、前記厚肉部に埋入されるように長尺状の発泡樹脂迂回部材が固定され、パーティングラインが、前記厚肉部よりもフランジ部の先端側に位置することを特徴とするシート用パッド。
【請求項２】
前記張出し部および発泡樹脂迂回部材は、パッド本体の上辺部および左右両側部に設けられている請求項１に記載のシート用パッド。
【請求項３】
自動車シート用フロントバックパッドである請求項１または２に記載のシート用パッド。
【請求項４】
前記請求項１、２または３に記載のシート用パッドの製造方法であって、前記パッド本体の背もたれ面から前記張出し部の連結部の外面にわたって成形する下型と、前記張出し部のフランジ部の外面を形成する上型と、パッド本体の背面と張出し部のフランジ部の内面および先端面を成形する中子型とを用い、前記補強シートに前記発泡樹脂迂回部材を固定し、前記発泡樹脂迂回部材が固定された前記補強シートを、前記上型と共に開放された前記中子型にセットするとともに、前記下型に発泡樹脂原液を注入した後に、前記上型および前記中子型を前記下型に対し型閉めし、注入された発泡樹脂原液を前記発泡樹脂迂回部材により迂回させて前記張出し部の前記厚肉部よりも下流に到達させ、前記張出し部の厚肉部に混在している空気を、該厚肉部よりも下流位置から抜くようにしたことを特徴とするシート用パッドの製造方法。
【請求項５】
前記上型と前記中子型とのパーティングラインから前記空気を抜く構成である請求項４に記載のシート用パッドの製造方法。
【発明の詳細な説明】
【技術分野】
【０００１】
本発明は、例えば自動車に使用されるシート用パッドおよびその製造方法に関する。
【背景技術】
【０００２】
例えば、自動車用シートは、着座者の臀部を支持するシートクッション部と、背部を支持するシートバック部とからなる。シートバック部は、シートバックパッドの表面に、織編物や皮革等からなる表皮を被せて構成されている。しかも、シートバックパッドは、軟質ポリウレタンフォームなどの弾力性を有する発泡体からなるバッグパッド本体と、このバッグパッド本体の背面側に一体化された補強布とを備えている。
【０００３】
そして、シートバックパッドは、フレームへの装着のために、バッグパッド本体の背面側で且つ上辺部に張出し部が一体に成形されたものがある（例えば、特許文献１参照）。そして、バックパッド本体の裏面には、バックボードが一体的に取り付けられているのが一般的である。
【０００４】
シートバックパッドの製造に際しては、バッグパッド本体の前面（背もたれ面）側を成形する下型と、この下型に対し開閉可能な上型および中子型とを備えた発泡成形型が使用されている。
【０００５】
また、発泡成形型として、発泡成形型のキャビティ内の空気を吸引して排気するものも公知である（例えば、特許文献２参照）。
【特許文献１】特公平６−３９１０７号公報
【特許文献２】特開２００３−１６５０号公報
【発明の開示】
【発明が解決しようとする課題】
【０００６】
図８に示すように、このバッグパッド本体１００の張出し部１０１は、パッド本体１００から後方に延設された連結部１０２と、この連結部１０２からパッド本体１００の背面１００ａと間隔を有するように内側（下方）に延設されたフランジ部１０３とを備えている。
【０００７】
フランジ部１０３の肉厚は、一様でなく、後方に向けて肉厚が厚くなる厚肉部１０５が形成されている。このようにフランジ部１０３に厚肉部１０５を形成するのは、張出し部１０１の厚肉部１０５よりも先端に設けられた薄肉部１０６の表面に、バックボード１０７の上端部１０７ａが対応した際に、厚肉部１０５は、このバックボード１０７よりも後方に突出した状態となり、高級感を感じさせシートバックパッドの背面視の意匠効果を高めるためである。
【０００８】
このような張出し部１０１を有するバッグパッド本体１００を、前記発泡成形型を使用して成形すると、前記バッグパッド本体１００は、背もたれ面１００ａが下向きとなるように発泡成形型により成形されるため、成形時には張出し部１０１がバッグパッド本体１００の上方に位置することになる。
【０００９】
この結果、張出し部１０１の厚肉部１０５において、発泡樹脂原液に混在する空気の流動性が悪くなるため、厚肉部１０５の表面に気泡が集まり易くなり、厚肉部１０５に欠肉（複数個の凹部）１０８が形成される。張出し部１０１の表面に凹部１０８が形成されると、バッグパッド本体１００を覆う表皮１１０をとおして凹凸が表面に現れ不体裁になる。表皮１１０はコストダウンや軽量化を目的として薄肉化される傾向にあることから、張出し部１０１を含むバッグパッド本体１００は、成形精度を高め、表面の不要な凹凸をなくすことが要求されている。
【００１０】
特に自動車シート用パッドとしての使用上、外観的に目立ち易い表面には凹凸を有さないことが望まれる。そのため、成形後に凹部１０８を埋める補修作業が必要となり、工数増加、製造コストアップの要因となっていた。
【００１１】
また、前記特許文献２に記載のキャビティ内の空気を吸引して排気する発泡成形型を採用することも考えられるが、かかる発泡成形型は、装置が大型化してしまう欠点がある。
【００１２】
本発明は、パッド本体に一体に設けられた張出し部の表面に、発泡成形時の空気による凹部が形成されるのを簡単な構成により防止することを課題とする。
【課題を解決するための手段】
【００１３】
本発明は、シート用パッドおよびその製造方法としてなされたもので、シート用パッドとしての特徴は、発泡樹脂製のパッド本体の背面側の少なくとも上辺部に、張出し部が一体に設けられ、該張出し部は、パッド本体から後方に延設された連結部と、該連結部から前記パッド本体の背面と間隔を有するように内側に延設されたフランジ部とを備え、前記パッド本体の背面および張出し部に補強シートが一体に設けられた自動車シート用パッドにおいて、前記張出し部のフランジ部には、後方に突出する厚肉部が設けられ、前記補強シートには、前記厚肉部に埋入されるように長尺状の発泡樹脂迂回部材が固定され、パーティングラインが、前記厚肉部よりもフランジ部の先端側に位置することにある。
【００１４】
本発明に係るシート用パッドは、パッド本体と共に一体に成形された張出し部の表面に、気泡による凹部が形成されるのを防止でき、成形後に凹部を埋める補修作業が不要となり、補修作業による工数が増加したり、製造コストがアップしたりするのを防止できる。
【００１５】
しかも、本発明のシート用パッドは、前記張出し部および発泡樹脂迂回部材が、パッド本体の上辺部および左右両側部に設けられていることにある。なお、フランジ部が内側を向くとは、パッド本体の上辺部に設けられた張出し部のフランジ部は、下方向きとなり、左右両側部に設けられた張出し部のフランジ部は、互いに対向するように左右方向を向くことになる。
【００１６】
さらに、本発明のシート用パッドは、自動車シート用フロントバックパッドであるのが好ましい。
【００１７】
本発明のシート用パッドの製造方法としての特徴は、前記シート用パッドの製造方法であって、前記パッド本体の背もたれ面から前記張出し部の連結部の外面にわたって成形する下型と、前記張出し部のフランジ部の外面を形成する上型と、パッド本体の背面と張出し部のフランジ部の内面および先端面を成形する中子型とを用い、前記補強シートに前記発泡樹脂迂回部材を固定し、前記発泡樹脂迂回部材が固定された前記補強シートを、前記上型と共に開放された前記中子型にセットするとともに、前記下型に発泡樹脂原液を注入した後に、前記上型および前記中子型を前記下型に対し型閉めし、注入された発泡樹脂原液を前記発泡樹脂迂回部材により迂回させて前記張出し部の前記厚肉部よりも下流に到達させ、前記張出し部の厚肉部に混在している空気を、該厚肉部よりも下流位置から抜くようにしたことにある。
【００１８】
本発明に係るシート用パッドの製造方法は、簡単な構成により気泡による凹部がない張出し部を有するシート用パッドを製造できる。
【００１９】
しかも、本発明のシート用パッドの製造方法は、前記上型と前記中子型とのパーティングラインから前記空気を抜く構成であるのが好ましい。かかる場合には、従来の発泡成形型を使用できるため、さらにコストダウンを図ることができる。なお、空気とは、型閉め時に発泡成形型に残存したもの以外に、発泡成形時に発生するガスも含む。
【発明の効果】
【００２０】
本発明は、表面に凹部のない品質の良好なシート用パッドを製造でき、補修工数を削減してコストダウンを図ることができる。
【発明を実施するための最良の形態】
【００２１】
以下、本発明の実施形態について図面を参照しながら説明する。図１〜図３に本発明の一実施の形態に係る自動車用シート１を示す。かかる自動車用シート１は、図３に示すように、着座者の臀部を支持するシートクッション部２と、背部を支持するシートバック部３とからなる。なお、本実施の形態では、フロントシートを例示するが、これに限定されるものではない。
【００２２】
シートクッション部２は、シートフレーム５上に載せられるシート用パッド２０の表面に、織編物や皮革等からなる表皮２２を被せて構成されている。シート用パッド２０は、軟質ポリウレタンフォームなどの弾力性を有する発泡体からなるパッド本体２３と、このパッド本体２３の下面に一体化された補強布２５とを備えている。
【００２３】
シートバック部３は、フレーム６に装着されるシート用パッドとしてのシートバックパッド３０の表面に、織編物や皮革等からなる表皮３２を被せて構成されている。シートバックパッド３０は、軟質ポリウレタンフォームなどの弾力性を有する発泡体からなるパッド本体（以下、バッグパッド本体という。）３３と、このバッグパッド本体３３の背面３３ｂ側に一体化された補強シートとしてのポリエステル長繊維不織布などからなる補強布３５とを備えている。
【００２４】
バッグパッド本体３３の前面３３ａは、背もたれ面が構成されている。バッグパッド本体３３の背面３３ｂ側で且つ上辺部３３ｃには、図１および図２に示すように前記フレーム６へ装着するための張出し部４０が一体に設けられている。この張出し部４０は、バッグパッド本体３３の左右方向（幅方向）Ａで且つ後方Ｒに突出するように延設された連結部４１と、バッグパッド本体３３の背面３３ｂと所定の間隔Ｌを有するように、この連結部４１から内向きである下方Ｂに延設されたフランジ部４３とを有している。
【００２５】
連結部４１の断面は、バッグパッド本体３３からフランジ部４３にわたって略一定に設けられているが、フランジ部４３の断面形状は、下方に向けて肉厚が次第に厚くなっている。具体的には、フランジ部４３の外面４３ａは、後方に向けて傾斜する第１面４４と、この傾斜面４４から連続する円弧面４５と、この円弧面４５から下方に連続する第２面４６とを有している。
【００２６】
また、フランジ部４３の内面４８側は、フレーム６の形状に応じて傾斜しており、フランジ部４３は、円弧面４５の部分（厚肉部）４９で肉厚が最大となっている。また、厚肉部４９よりも下方の先端側は、薄肉部４７が設けられている。この薄肉部４７の第２面４６には、バッグパッド本体３３の背面３３ｂ側に取り付けられるバックボード８の上端部８ａが対応するようになっている。従って、バックボード８の上端部８ａが薄肉部４７の表面を被覆し、厚肉部４９は、このバックボード８よりも後方に突出した状態となり、シートバックパッド３０の背面視の意匠効果を高めている。
【００２７】
前記フランジ部４３には、長尺状の発泡樹脂迂回部材５０が、バッグパッド本体３３の左右方向Ａに埋設されている。この発泡樹脂迂回部材５０は、厚肉部４９に位置するように補強布３５に固定されている。発泡樹脂迂回部材５０を補強布３５に固定する手段としては、両面テープまたは接着剤等の接着手段が採用可能である。発泡樹脂迂回部材５０は、ポリウレタン等の弾力性を有する合成樹脂からなり、その断面形状は、例えば矩形状を呈している。なお、発泡樹脂迂回部材５０の材質は、特に限定されるものではないが、バッグパッド本体自体よりも硬質材料からなるのが好ましい。
【００２８】
図４および図５は、前記シート用パッドの製造装置としての発泡成形型の概略を示している。同図に示す発泡成形型７０は、従来周知のものが採用可能であり、固定型としての下型７１と、中子型７２と、上型７３とから構成されている。なお、中子型７２と上型７３とで可動型７４が構成され、この可動型７４は、下型７１に対して開閉自在になっている。
【００２９】
下型７１は、フレーム（図示省略）により設置側に略水平に保持されており、製造対象のバッグパッド本体３３の形態に応じて、バッグパッド本体３３の背もたれ面３３ａおよび周側面から張出し部４０の連結部４１の外面４１ａにわたって成形するように、凹設された成形面７１ａを有している。
【００３０】
上型７３は、張出し部４０のフランジ部４３の外面４３ａを形成する成形面７３ａを有している。中子型７２は、バッグパッド本体３３の背面３３ｂと張出し部４０のフランジ部４３の内面４８および先端面４９を成形する成形面７２ａを有している。上型７３および中子型７２を前記下型７１に対し閉合（型閉め）して成形空間としてのキャビティ７５を構成する。中子型７２は、成形されたバッグパッド本体３３が取り出せるように、上型７３に対して自動または手動により離間可能に構成されている。
【００３１】
次に上記の発泡成形型７０を用いて、シートバックパッド３０を製造する場合について説明する。
【００３２】
先ず、予め補強布３５の所定位置に、所定長さの発泡樹脂迂回部材５０を固定しておく。発泡樹脂迂回部材５０は、断面矩形状であるため、長尺状のものが容易に製造でき、その長尺状のものを所定長さに複数個カットして使用できる。
【００３３】
そして、この発泡樹脂迂回部材５０が固定された補強布３５を、図４に仮想線で示すように上型７３と共に開放された中子型７２にセットする。上型７３の開放状態において、下型７１内に例えば軟質ポリウレタンフォーム等の発泡樹脂原液３３Ａを所定量注入する。
【００３４】
次に上型７３および中子型７２を下型７１上に閉合して、内部にキャビティを構成し、所定温度で所定時間を維持して加熱することにより、発泡成形を行なう。下型７１内の発泡樹脂原液３３Ａは、上型７３と中子型７２との間に流れ込む。すなわち、下型７１内の発泡樹脂原液３３Ａは、上型７３の成形面７３ａと、中子型７２におけるフランジ部４３の内面４８および先端面４９を形成する成形面７２ａとの間を流れるが、かかる発泡樹脂原液３３Ａは、発泡樹脂迂回部材５０に衝突する。この発泡樹脂迂回部材５０は邪魔板としての機能を有するため、発泡樹脂原液３３Ａは、図５に矢印Ｃで示すように上方に迂回することとなる。
【００３５】
迂回した発泡樹脂原液３３Ａは、発泡樹脂迂回部材５０と所定の間隔Ｌ１を有する上型７３の成形面７３ａに沿って流れるので、発泡樹脂原液３３Ａに混在した空気ａは、成形面７３ａの最も高くなった部分（厚肉部４９に相当する部分）で滞留することなく、発泡樹脂原液３３Ａと共に中子型７２の成形面７３ａの先端まで達する。
【００３６】
さらに、厚肉部４９に相当する部分を通過した空気ａは、この部分の下流に位置する上型７３と中子型７２との合わせ面部（パーティングライン）ＰＬから図５に矢印Ｄで示すように抜かれる。この合わせ面部ＰＬは、張出し部４０の厚肉部４９よりも下流側の薄肉部４７角部に位置するため、空気ａが上型７３と中子型７２との間に残存することなく排気され、上型７３と中子型７２との間に発泡樹脂原液をまんべんなく充填することができる。
【００３７】
このようにしてシートバックパッド３０を成形した後は、必要に応じて成形型の冷却を行なうとともに、上型７３を上方に回動させて型開きし、成形品を保持する中子型７２を上型７３から離間させ、成形品を取り出す。
【００３８】
本発明にかかる実施の形態は、予め発泡樹脂迂回部材５０を補強布３５に固定しておくことにより、発泡樹脂迂回部材５０をバッグパッド本体３３の正確な位置に埋入でき、従来の発泡成形型を使用した簡単な構成によりシートバックパッド３０を製造することができる。しかも、成形されたバッグパッド本体３３と共に一体に成形された張出し部４０の表面に、気泡による凹部が形成されるのを防止でき、かかるシートバックパッド３０に表皮３２を被せても、凹凸面とならないため、バッグパッド本体３３の成形後に凹部を埋める補修作業が不要となり、補修作業による工数が増加したり、製造コストがアップしたりするのを防止できる。
【００３９】
本発明は、前記の実施の形態に限定されるものではない。例えば、図６に他の実施の形態を示す。本実施の形態は、張出し部４０をバッグパッド本体３３の上辺部３３ｃの他に左右両側部３３ｄ、３３ｄにも設けた場合を例示する。本実施の形態では、発泡樹脂迂回部材５０は、張出し部の上辺部３３ｃと左右両側部３３ｄ、３３ｄとの３辺部に設けられている。左右両側部３３ｄ、３３ｄに設けられたそれぞれ張出し部４０のフランジ部４３は、互いに対向する内向きとなる。発泡樹脂迂回部材５０は、単体のものであってもよいが、各辺部にそれぞれ別体のものを設けてもよい。
【００４０】
また、発泡樹脂迂回部材５０の断面形状は、矩形以外の任意の形状が採用でき、例えば、図７に示すように表面が円弧面であってよい。このように、上型７３の成形面７３ａの形状に応じて、発泡樹脂迂回部材５０の表面を円弧に形成することにより、発泡樹脂の流れを良好にすることができる。なお、図１に示したシートバックパッド３０と同一部材は、同一符号を付してそれぞれの説明は省略する。
【図面の簡単な説明】
【００４１】
【図１】本発明の一実施形態に係るシート用パッドの要部を示す断面図である。
【図２】同シート用パッドの一部断面を含む背面斜視図である。
【図３】同シート用パッドを使用した自動車用シートの断面を示す斜視図である。
【図４】同シート用パッドの製造方法を実施するために使用する発泡成形型の概略断面図である。
【図５】同要部を示す断面図である。
【図６】本発明の他の実施の形態に係るシート用パッドの背面斜視図である。
【図７】同シート用パッドの要部を示す断面図である。
【図８】従来のシート用パッドの要部を示す断面図である。
【符号の説明】
【００４２】
３０    シートバックパッド（シート用パッド）
３３    バックパッド本体（パッド本体）
３３Ａ  発泡樹脂原液
３３ａ  背もたれ面（前面）
３３ｂ  背面
３３ｃ  上辺部
３３ｄ  左右両側部
３５    補強布（補強シート）
４０    張出し部
４１    連結部
４１ａ  連結部の外面
４３    フランジ部
４３ａ  フランジ部の外面
４８    フランジ部の内面
４９    フランジ部の先端面
４９    厚肉部
５０    発泡樹脂迂回部材
７１    下型
７２    中子型
７３    上型
ａ      空気
Ｒ      後方
Ｂ      下方（内側）
Ｌ      間隔
ＰＬ    パーティングライン
【図１】
2007082909.tif 000003
【図２】
2007082909.tif 000004
【図３】
2007082909.tif 000005
【図４】
2007082909.tif 000006
【図５】
2007082909.tif 000007
【図６】
2007082909.tif 000008
【図７】
2007082909.tif 000009
【図８】
2007082909.tif 000010